(57)【要約】【課題】  ウエアラブルセンサを用いて計測した被測定者の体表付近の衣服内温度に基づいて基礎体温変動を推定し、関連する健康情報をあわせて蓄積／記憶するに関する基礎体温変動推定および健康記録管理方法を提供する。【解決手段】  センサ装置１のコントロールユニット５は、体表温度検出部３／外気温度検出部４を用いて被測定者Ｈの就寝中に検出した体表温度検出データＤ１／Ｄ２より基礎体温変動推定の指標となる温度Ｔ３を決定し表示する。また、被測定者が体表温度検出データＤ１／Ｄ２を外部の処理装置１１に転送した後、処理装置１２は、複数日分の体表温度検出データＤ1／Ｄ２および基礎体温変動推定の指標となる温度Ｔ３と、被測定者入力データを分析する。被測定者は所有するパソコンまたは携帯電話ＰＴを用いて処理装置１２にアクセスし、分析結果を閲覧して健康管理に役立てる。【選択図】        図２
2010063766.tif 000002
【特許請求の範囲】
【請求項１】
被測定者の体表付近の温度を継続的に測定した温度データを複数日に亘って蓄積／分析する装置であって、被測定者の衣服内に常時装着可能なケーシングと、該ケーシングのうち被測定者の体表面側に設けられ体表の温度を検出する体表温度検出手段と、体表面と反対側に位置して外気の温度を検出する外気温度検出手段を設け、測定日毎に開始時刻から終了時刻までの間に亘って予め決められた時間間隔で温度検出データを読込む読込み手段と、該読込み手段による温度検出データを記憶する記憶手段と、該記憶手段に記憶された温度検出データを連結して前記温度データ系列を生成するデータ系列生成手段と、該データ系列生成手段による温度データ系列を用いて、就寝中に寝具と衣服で保温された衣服内で計測した温度データ系列の中から、被測定者の深部温度に追随したその日の基礎体温変動の指標となる温度を特定し記憶する手段と、記憶した計測温度データまたは／および基礎体温変動の指標となる温度を表示する手段を備える構成としてなる、基礎体温変動推定および健康記録管理装置。
【請求項２】
基礎体温変動の指標となる温度特定手段は、前日の終身時からその日の起床時までに計測した体表温度データ系列の中から、予め設定された温度および温度変化の許容範囲以外の値を削除し、さらに、外気温度データ系列を用いて処理を行い測定状況の適正状態を推定し適正な状態での計測値と推定されるデータよりその日の最高値を基礎体温変動の指標となる温度を特定し記憶する構成としてなる、請求項１に記載の基礎体温変動推定および健康記録管理装置。
【請求項３】
被測定者が月経開始日を入力すると、あらかじめ設定された月経周期に基づいて月経期／卵胞期／黄体期に対応するマークが表示され、被測定者の基礎体温変動の指標となる温度と併記表示する機能を備える構成としてなる、請求項１、請求項２に記載の基礎体温変動推定および健康記録管理装置。
【請求項４】
前記請求項１に記載の基礎体温変動推定および健康記録管理装置を用いて継続的に測定した被測定者の体表付近の温度データを、通信手段を用いて複数月または複数年に亘ってサーバーに蓄積／分析する構成であって、被測定者が蓄積した体表温度と外気温度データを用いて、就寝中に計測したデータよりその日の基礎体温変動の指標となる温度を特定し、また日中の温度変化から行動状況／環境を、就寝中の温度変化から睡眠状況／環境を推定して記憶し、データ表示および分析結果表示が可能な構成としてなる、基礎体温変動推定および健康記録管理システム。
【請求項５】
基礎体温変動の指標となる温度、行動状況／環境、睡眠状況／環境の推定／記憶に加え、被測定者が入力した月経開始日の情報、月経の色／量、おりもの、体重、身体的症状、精神的症状、ストレスの度合いなどの関連する健康情報を蓄積／分析する構成であって、基礎体温変動推定情報とあわせて記録データ表示および分析結果表示が可能な構成としてなる、請求項４に記載の基礎体温変動推定および健康記録管理システム。
【発明の詳細な説明】
【技術分野】
【０００１】
本発明は、例えば複数月に亘って測定した被測定者の体表付近の衣服内温度に基づいて被測定者の基礎体温変動を推定し、関連する健康情報をあわせて蓄積／記憶するに関する基礎体温変動推定および健康記録管理装置とシステムに関する。
【背景技術】
【０００２】
従来、女性のホルモンバランス状況を把握し健康管理に役立てるために、婦人体温計により毎朝計測し、基礎体温としてその変動を数ヶ月間に渡って記録、数値的に分析する方法が行われてきた。（例えば特許文献１参照）。しかし、女性の生活の多様化を鑑みると、毎朝、計測時刻や計測方法等の条件を一定とすることは難しく、長期間に亘る計測の継続には被測定者の苦痛を伴うと共に、短時間の口中温度の計測では計測環境温度の影響を受け易く、姿勢やくわえ方など最適な計測条件を満たすことが難しいため、計測結果に揺らぎが生じ易かった。このため、就寝している被測定者の腹部等に身体表面の温度（体表温度）を測定するセンサ装置を取り付け、このセンサ装置によって長時間に亘って自動測定した体表温度に基づいて基礎体温に対応した当日の代表温度を決めるものが知られている（例えば特許文献２参照）。このとき、代表温度は、測定した体表温度の最高温度としていた。
【０００３】
【特許文献１】特許第３８００４６９号公報
【特許文献２】特許第３９０９３０１号公報
【０００４】
また、既知の被測定者について開始時刻から終了時刻までの間に亘って体表温度データ群を測定すると共にこのときの体温を測定し、この測定した体表温度データ群と体温とを用いて、ＰＬＳ回帰分析によって、得られた体表温度データ群から体温を逆演算することができる逆演算モデルを構築し、未知の被測定者について開始時刻から終了時刻までの間に亘って体表温度データ群を測定し、未知の被測定者について得られた体表温度データ群と前記逆演算モデルとに基づいて体温を予測するもある。（例えば特許文献３参照）。
【特許文献３】特開２００８−１２８７８１号公報
【発明の開示】
【発明が解決しようとする課題】
【０００５】
従来の婦人体温計による毎朝の計測の煩わしさを解消するためには、被測定者に機器装着のストレスを感じさせずに低侵襲／無拘束でモニタリングが可能なウエアラブルセンサを用い、しかも無意識下の就寝中に高い精度での計測を実現させる必要がある。
【０００６】
ところで、従来技術では、被測定者の寝返り等によって体表に対するセンサ装置の密着状態が変化し、測定結果にばらつきが生じることがある。例えば、就寝中被測定者の腹部にセンサ装置を取付けた状態で、長時間うつぶせに寝た状態が続いたときには、腹部からの放熱が蓄熱されたうつ熱状態により一時的に衣服内が身体深部より高温となり、その影響で体表温度が上昇する可能性もある。さらに体温よりも高温を発する電気毛布、懐炉などの利用やこたつ寝、体温の高い子どもの添い寝などに伴って体表温度が身体深部温度より高温に上昇する可能性もある。この結果、一時的に体表温度の測定結果が上昇してしまい、体表温度および代表温度の測定精度が低下する傾向がある。
【０００７】
このとき、従来技術でも、最高温度を代表温度として用いて基礎体温の変動を把握することはある程度は可能であるが、体温変動に伴う変化なのか前記一時的に衣服内が身体深部より高温となった状態かを区別することが難しい。二相性の把握においては、＋０．３℃の上昇という微妙な温度変化を捉える必要があり、計測環境による温度上昇などの揺らぎを排除しなければならないという問題がある。
【０００８】
また、得られた体表温度データ群から体温を逆演算するＰＬＳ回帰分析などの逆演算モデルでは、当初構築されているモデルはあくまでもホルモンバランスが良好な一定人数の既知の被測定者を対象として構築した代表温度の推定値となるため、個人ごとにばらつきのある未知の被測定者についての推定精度は低くなる可能性もある。ここで、推定精度を高めるためには、数ヶ月にわたる一定期間の被測定者の計測データが蓄積された上で、当該被測定者専用の逆演算モデルを新たに構築する必要が発生する。データ蓄積までの数ヶ月間の推定精度低下の問題に加え、サーバ上での当該被測定者専用の逆演算モデルの構築と言う膨大な計算とその費用が予測される。また、被測定者のホルモンバランスなどに伴う健康状況は、季節／生活環境／年齢などにより刻々と変化するため、いったん構築された専用の逆演算モデルも、経年とともに推定精度低下の可能性も考えられる。
【０００９】
本発明は上述した従来技術の問題に鑑みなされたもので、本発明の目的は、ウエアラブルセンサを使用し長期間に亘って測定した被測定者の体表付近の衣服内温度を利用して被測定者の基礎体温変動を推定し、関連する健康情報をあわせて蓄積した健康記録を管理し、分析した結果を健康関連情報として提供することにある。また、基礎体温変動の把握においては、数ヶ月以上の長期にわたる測定が有効ではあるが、その測定当初から高い推定率で基礎体温の変動を予測し、なおかつサーバの演算の付加を減らし、ユーザーにリーズナブルなコストで基礎体温変動推定および健康記録管理のシステムを提供することを目的としている。
【課題を解決するための手段】
【００１０】
上述した課題を解決するために請求項１の発明は、被測定者の体表付近の温度を継続的に測定した温度データを複数日に亘って蓄積／分析する装置であって、被測定者の衣服内に常時装着可能なケーシングと、該ケーシングのうち被測定者の体表面側に設けられ体表の温度を検出する体表温度検出手段と、体表面と反対側に位置して外気の温度を検出する外気温度検出手段を設け、測定日毎に開始時刻から終了時刻までの間に亘って予め決められた時間間隔で温度検出データを読込む読込み手段と、該読込み手段による温度検出データを記憶する記憶手段と、該記憶手段に記憶された温度検出データを連結して前記温度データ系列を生成するデータ系列生成手段と、該データ系列生成手段による温度データ系列を用いて、就寝中に寝具と衣服で保温された衣服内で計測した温度データ系列の中から、被測定者の深部温度に追随したその日の基礎体温変動の指標となる温度を特定し記憶する手段と、記憶した計測温度データまたは／および基礎体温変動の指標となる温度を表示する手段を備える構成とした。
【００１１】
請求項２の発明では、基礎体温変動の指標となる温度特定手段は、前日の就寝時からその日の起床時までに計測した体表温度データ系列の中から、予め設定された温度および温度変化の許容範囲以外の値を削除し、さらに、外気温度データ系列を用いて処理を行い測定状況の適正状態を推定し適正な状態での計測値と推定されるデータよりその日の最高値を基礎体温変動の指標となる温度を特定し記憶する構成とした。
【００１２】
請求項３の発明では、被測定者が月経開始日を入力すると、あらかじめ設定された月経周期に基づいて月経期／卵胞期／排卵期／黄体期に対応するマークが表示され、被測定者の基礎体温変動の指標となる温度と併記表示する機能を備える構成とした。
【００１３】
請求項４の発明では、基礎体温変動推定および健康記録管理装置を用いて継続的に測定した被測定者の体表付近の温度データを、通信手段を用いて複数月または複数年に亘ってサーバーに蓄積／分析する構成であって、被測定者が蓄積した体表温度と外気温度データを用いて、就寝中に計測したデータよりその日の基礎体温変動の指標となる温度を特定し、また日中の温度変化から行動状況／環境を、就寝中の温度変化から睡眠状況／環境を推定して記憶し、データ表示および分析結果表示が可能な構成とした。
【００１４】
請求項５の発明では、基礎体温変動の指標となる温度、行動状況／環境、睡眠状況／環境の推定／記憶に加え、被測定者が入力した月経開始日の情報、月経の色／量、おりもの、体重、身体的症状、精神的症状、ストレスの度合いなどの関連する健康情報を蓄積／分析する構成であって、基礎体温変動推定情報とあわせて記録データ表示および分析結果表示が可能な構成とした。
【発明の効果】
【００１５】
請求項１の発明によれば、常時装着可能な測定機器によって自動計測を行うことができ、被測定者の体表面側と反対側に配置した温度検出手段により予め設定した時刻から一定間隔で計測を行い、前夜の就寝中に計測した温度データ系列の中から、長時間寝具と衣服で保温された衣服内という毎日同じ条件化の環境で計測した温度データ系列の中から、被測定者の深部温度に追随したその日の基礎体温変動の指標となる温度を特定し、記憶／表示することができる。これにより被測定者は計測の面倒を感ずることなく、基礎体温変動の指標となる温度を知って健康管理に役立てることが可能となる。
【００１６】
請求項２の発明によれば、基礎体温変動の指標となる温度特定手段は、前夜の就寝時以降当日の起床時までに計測した温度データについて、予め正しく測定できた範囲を設定し、体表温度検出データが許容範囲以外の値を示した場合には基礎体温変動の指標となる温度特定には寄与しない温度として削除するとともに、一時的に外気側から温度上昇または下降の要因が働いた計測に関しても代表値として採用しないことにより、条件のよい環境で計測された温度を代表値として決定でき、計測値に含まれる揺らぎを軽減することが可能となる。
【００１７】
請求項３の発明によれば、被測定者が月経開始日を入力すると、あらかじめ設定された月経周期に基づいて月経期／卵胞期／排卵期／黄体期に対応するマークが表示され、被測定者の基礎体温変動の指標となる温度と併記表示する機能を備える構成となっている。基礎体温計測には、排卵期はいつ頃か、次回の月経開始日はいつ頃かを予測したいという目的があるが、温度変動だけを見ても判断は難しい。月経周期のうち今、月経期／卵胞期／排卵期／黄体期のどのステージにいるのか目安となるマークを同時に表示することで、より被測定者が予測しやすい状況が生まれる。
【００１８】
請求項４の発明によれば、基礎体温変動推定および健康記録管理装置を用いて継続的に測定した被測定者の体表付近の温度データを、通信手段を用いて複数月または複数年に亘ってサーバーに蓄積／分析する構成であって、被測定者が蓄積した体表温度と外気温度データを用いて、就寝中に計測したデータよりその日の基礎体温変動の指標となる温度を特定しその長期的な変動から、女性のホルモンバランスに伴う周期的なリズムをとらえることが可能となる。また日中の温度変化から行動状況／環境を推定したり、就寝中の温度変化から睡眠状況／環境を推定したりすることが可能となるため、月経周期と日中の行動や睡眠状態に関する分析が可能となる。
【００１９】
請求項４，５の発明によれば、基礎体温変動の指標となる温度、行動状況／環境、睡眠状況／環境の推定／記憶に加え、被測定者が入力した月経開始日の情報、月経の色／量、おりもの、体重、身体的症状、精神的症状、ストレスの度合いなどの関連する健康情報を蓄積／分析する構成となっており、基礎体温変動と月経周期にかかわる様々な健康データを蓄積して分析することで、被測定者ごとのＰＭＳ（月経前症候群）／ＰＥＭＳ（周経期症候群）／婦人病／不妊症等の様々な症状の状況把握に役立つこととなる。さらに、多数の被測定者の健康情報がサーバーに蓄積されることにより、現代女性の膨大な健康情報をもとに女性のＱＯＬ（Ｑｕａｌｉｔｙ ｏｆ Ｌｉｆｅ、生活の質）向上のための研究が行われることが予測される。
【発明を実施するための最良の形態】
【００２０】
以下、本発明の実施の形態による基礎体温変動推定および健康記録管理装置を添付図面に従って詳細に説明する。
【００２１】
まず、図１は第１の実施の形態を示し、図において、１は基礎体温変動推定および健康記録管理を行うウエアラブルセンサ装置（以下、センサ装置１という）で、該センサ装置１は、後述のケーシング２Ａ、クリップ２Ｂ、体表温度検出部３、外気温度検出部４、コントロールユニット５、表示部９等によって大略構成されている。
【００２２】
図１，図２の２Ｂはケーシング２Ａを被測定者Ｈに取付ける装着手段としてのクリップで、該クリップ２Ｂは、ケーシング２Ａの表示部９側に位置して、衣服等を挟持可能な構成となっている。このため、クリップ２Ｂは、図１に示すように、ショーツ等の下着やパジャマのウエスト部分を挟むことによって、センサ装置１を被測定者Ｈの腹部に固定する。
【００２３】
なお、センサ装置１は被測定者Ｈの腹部に限らず、例えば被測定者Ｈの胸部下着等に取付け固定する構成としてもよい。
【００２４】
２Ａはセンサ装置１の本体（主支持体）をなすケーシングで、該ケーシング２Ａは、図２ないし図３に示すように例えば樹脂材料を用いて略長円形（卵形）の箱形状に形成され、その内部には後述の回路基板６等が収容されている。
【００２５】
３は体表の温度を検出する体表温度検出部（体表温度検出手段）で、該体表温度検出部３は、ケーシング２のうち被測定者Ｈの体表面側に配置されるから、被測定者Ｈの体表面Ｈ0にケーシング２が接触し、体表温度がケーシング２を通じて測温素子に熱伝導する。ここで、ケーシング２の該体表温度検出部３が接触する部分の樹脂素材は、薄く加工されている。これにより、体表温度検出部３は、測温素子によって被測定者Ｈの体表温度に応じた信号を出力する。
【００２６】
なお、体表温度検出部３は、被測定者Ｈの体表面に接触して体表温度を直接的に検出する構成とした。しかし、本発明はこれに限らず、例えば体表温度検出部３と被測定者Ｈの体表面Ｈ0との間に下着等を挟む場合には、体表温度検出部３は、下着等を介して被測定者Ｈの体表温度を間接的に検出する構成としてもよい。即ち、体表温度検出部３は、被測定者Ｈの皮膚表面の絶対温度を検出する必要はなく、皮膚表面の温度に対応して変化する相対的な温度を検出すれば足りる。従って、毎日の計測条件がほぼ一定であれば、例えば下着１枚を挟んで体表温度検出部３を被測定者Ｈの体表面Ｈ0に密着させる構成としてもよい。
【００２７】
４は外気温度を検出する外気温度検出部（外気温度検出手段）で、該外気温度検出部４は、図３に示すように、ケーシング２のうち被測定者Ｈの体表面Ｈ0とは反対側（背面側）に位置している。外気温度検出部４と体表温度検出部３との間には、後述の回路基板６が配置されている。そして、外気温度検出部４は、ケーシング２の背面側に位置しているから、ケーシング２を介して外気温度を検出し、外気温度に応じた信号を測温素子から出力する。
【００２８】
６はケーシング２の内部に収容された回路基板で、該回路基板６には、図４に示すようにマイクロコンピュータ等からなる読込み手段としてのコントロールユニット５が搭載されている。そして、コントロールユニット５は、その入力側が体表温度検出部３および外気温度検出部４に接続されると共に、その出力側が後述の表示部９に接続されている。また、コントロールユニット５には記憶手段として例えばＲＯＭ、ＲＡＭ等からなる記憶部１０が設けられている。
【００２９】
ここで、記憶部１０には、コントロールユニット５を作動させるプログラムと該プログラムで使用する開始時刻ｔ1、終了時刻ｔ2、時間間隔Δｔが予め格納されると共に、コントロールユニット５の作動によって後述の体表温度Ｔ1、外気温度Ｔ2が記憶される構成となっている。
【００３０】
このとき、開始時刻ｔ1と終了時刻ｔ2は就寝中の時刻として例えば午前０時（ｔ1＝０：００ａｍ）と午前６時（ｔ2＝６：００ａｍ）とにそれぞれ設定され、時間間隔Δｔは例えば１０分程度の値に設定される。なお、開始時刻ｔ1、終了時刻ｔ2は、被測定者Ｈが例えば夜間勤務者であれば、その就寝の開始時刻および終了時刻に設定されるものである。また、時間間隔Δｔも、１０分に限らず、例えば３〜２０分程度の間で測定条件等に応じて適宜設定されるものである。
【００３１】
また、コントロールユニット５は、時刻を計時するタイマ１１を有すると共に、例えば３個のボタンスイッチ８Ａ，８Ｂ，８Ｃからなるスイッチ部８が接続されている。そして、コントロールユニット５は、ケーシング２Ａに搭載されたコイン型リチウム電池等の電源７によって駆動し、スイッチ部８を操作することによって記憶部１０からプログラムを読出して作動する。これにより、コントロールユニット５は、タイマ１１による時刻が開始時刻ｔ1に達すると、開始時刻ｔ1から終了時刻ｔ2までの間に亘って一定の時間間隔Δｔ毎に体表温度検出部３、外気温度検出部４から検出温度に応じた体表温度検出データＤ1、外気温度検出データＤ2を読込む。
【００３２】
そして、コントロールユニット５は、これらの温度検出データＤ1／Ｄ2を記憶部１０に順次記憶する。これにより、記憶部１０には、開始時刻ｔ1から終了時刻ｔ2までの複数の体表温度検出データＤ1からなる時系列の体表温度データ群Ｄg1、および複数の外気温度検出データＤ2からなる時系列の外気温度データ群Ｄg2が記憶される。
【００３３】
また、記憶部１０は、コントロールユニット５による温度検出データＤ1／Ｄ2のうち予め設定された温度の許容範囲（例えば２７℃〜４０℃）以内の値で、かつ温度変化の許容範囲（例えば±１℃／１０分）以内の値を正常な値とし、許容範囲以外の値を異常な値として各温度データ群Ｄg1／Ｄg2を記憶する。具体的には、正常な値は温度検出データＤ1／Ｄ2をそのまま記憶し、異常な値は欠損データ（例えば正常な値と識別可能なエラーデータ）が記憶される。
【００３４】
ここで、一般に人体の体表温度は室温２０〜３５℃の環境下では、通常２７〜３７℃程度と言われており、この温度付近まで上昇しないとケーシング２等が十分に温められた熱平衡状態にならない。また、異常な発熱や外部発熱体の影響がない限り体表温度は４０℃を超えることはない。このため、温度の許容範囲は、熱平衡状態で各温度検出部３／４によって検出される温度が例えば２７℃〜４０℃の範囲を逸脱することはないとの考えに基づいて決められている。また、就寝中は被測定者の体表温度は比較的安定している。このため、温度変化の許容範囲は、例えば１０分程度の時間間隔Δｔの前，後で±１℃の許容範囲を超えて変化することはないとの考えに基づいて決められている。
【００３５】
なお、温度の許容範囲および温度変化の許容範囲は、例示した値に限らず、測定条件等を考慮して適宜設定してもよい。
【００３６】
ここで、通常の生活可能な室温の環境下で被験者が身体にウエアラブルセンサを装着した場合、ケーシング２Ａが温められる過程において、熱源となる被験者の身体がより近い場所に位置する体表温度検出部３は外気温度検出部４より先に温度が上がり、熱平衡に達した場合も含め、その温度はＤ1≧Ｄ2となる。もし、Ｄ1＜Ｄ2となった場合は、外気側に何らかの熱源があり外側から温められる要因の影響を受けていると考えられる。たとえば、図６に示すように就寝中にうつぶせ寝が長く続いて腹部から放熱が蓄熱し高温となるうつ熱状態や、体温よりも高温を発する電気毛布／懐炉／湯たんぽ等の使用、こたつ寝、体温の高い子どもやペットとの添い寝などの場合が想定される。
【００３７】
コントロールユニット５は、基礎体温変動の指標となる代表温度Ｔ３の決定において、温度検出データＤ1/Ｄ2のうち、Ｄ1＜Ｄ2となる場合は候補から外し、Ｄ1のうちの最高値をＴ３と決定する。最高値以外のＤ1は、図６に示すように外部から冷やされる要因の影響を受けたと考えられるため、ウエアラブルセンサ装着時にケーシング２Ａが一番よい条件で身体深部温度を反映していると推測できる最高値をＴ３として決定し、記憶部１０に記憶する。
【００３８】
９はケーシング２Ａの背面側に設けられた液晶画面等からなる表示部で、該表示部９はコントロールユニット５に接続され、記憶部１０に記憶した基礎体温変動の指標となる温度Ｔ３やコントロールユニット５の駆動状態を表示する。被計測者はスイッチ部８を操作することによって、表示された温度Ｔ３を確認して基礎体温変動を把握することができる。このとき、被計測者があらかじめ設定した月経周期に基づいて月経期／卵胞期／黄体期の各ステージをイメージしたマークＭが表示され、基礎体温変動の把握の目安となる。
【００３９】
図２に示すように、マークＭは表示部９の温度Ｔ３表示の下の部分に表示されるが、被計測者があらかじめ設定した平均月経周期日数をもとに、図７の対応表の日数でステージが計算されマークＭが表示される。
【００４０】
また、図５は第２の実施携帯を示し、図において表示部９は、記憶部１０に記憶した温度検出データＤ1／Ｄ2を後述する外部の処理装置１２に転送する転送手段を構成し、スイッチ部８を操作することによって、例えばＱＲコード（登録商標）等の２次元コードを表示する。ここで、この２次元コードは、記憶部１０に記憶した１日分（１晩分）の温度検出データＤ1／Ｄ2およびデータのＵＲＬ（Uniform Resource Locator）等のインターネット上の送信先アドレスの情報を含む。このため、被測定者Ｈは、２次元コードの読取り機能を有する携帯電話ＰＴ等を使用することによって、携帯電話ＰＴ内に２次元コード内の情報を読み込む。これにより、被測定者Ｈは、図５に示すように、インターネット等を介して携帯電話ＰＴを外部の処理装置１２にアクセスし、処理装置１２に向けて温度検出データＤ1／Ｄ2を転送することができる。
【００４１】
なお、転送手段は、表示部９による２次元コード表示を用いる構成とした。しかし、本発明はこれに限らず、コントロールユニット５と携帯電話ＰＴとの間を例えば有線方式または無線方式を用いて接続するコネクタ等の接続部を設け、該接続部によって転送手段を構成してもよい。
【００４２】
１２はセンサ装置１によって被測定者が計測した温度検出データＤ1／Ｄ2を蓄積し、分析を行う処理装置で、該処理装置１２は、例えばサーバコンピュータ等によって構成され、ＲＯＭ、ＲＡＭ等からなる記憶回路を有している。被測定者は所有するパソコンまたは携帯電話から処理装置１２にアクセスし、蓄積データや分析結果を閲覧することができる。
【００４３】
ここで、処理装置１２はセンサ装置１によって被測定者が計測した温度検出データＤ1／Ｄ2を図６のグラフとして表示すると共に、温度検出データＤ1/Ｄ2のうち、Ｄ1＜Ｄ2となる場合は候補から外し、Ｄ1の最高値を基礎体温変動の指標となる代表温度Ｔ３として決定する。
【００４４】
被測定者は、所有するパソコンまたは携帯電話から処理装置１２にアクセスし、図９に示した画面から、月経開始日／月経中／おりもの／月経の量／月経の色／体重等の記録を行うことができる。また、図１０に示すように、日々の身体と心の状況を記録することができる。
【００４５】
また、処理装置１２は、図８示すように蓄積された代表温度Ｔ３を月経周期ごとに長期グラフ表示することができる。このとき、該長期グラフには、月経開始日から数え４日目から１１日目までの低温期基準線を補助線として示す機能がある。さらに、低温期基準線から０．３℃上に高温期基準線を補助線として示す機能がある。この高温期補助線を目安として高温期突入の判定を行うことで、被測定者は従来の折れ線グラフでは判定しにくかった基礎体温の２相性が把握しやすくなる。なお、長期グラフは月経周期ごとグラフのほかに、３ヶ月間または６ヶ月間のグラフ表示も行う。
【００４６】
ここで、処理装置１２は、被測定者が記録した、代表温度Ｔ３と、月経開始日／月経中／おりもの／月経の量／月経の色／体重／日々の身体状況／心の状況を図１１のように月経周期ごとに一覧表で表示する。これにより被測定者は、ＰＭＳ等の症状が月経周期のいつ頃に現れる傾向にあるのか把握しやすくなる。また図１２のように月経周期ごとにレーダーグラフで表示をする。これにより、症状が改善しているのか悪化しているのか、生活状況はどう変化しているのか等を知ることができる。
【００４７】
さらに、図１３のように、６ヶ月間蓄積された代表温度Ｔ３と月経開始日／月経中／おりもの／月経の量／月経の色／体重／日々の身体状況／心の状況のデータを分析し、被測定者の各ステージにおける平均温度や、各ステージにおける顕著な症状を表示する。なお、この際のステージは、図１４の表に基づき１月経周期を８ステージに分けて集計を行う。平均月経周期の計算には、直近３周期の日数を用いるが、ユーザ申告周期と１週間以上のずれが生じた場合の周期は、特別の理由で周期に変化があったと考え、申告の月経周期と±６日以内のデータのみを使用する。
【００４８】
図１５は、センサ装置１において終日計測を行った体表温度検出データＤ1のグラフである。このグラフからは、ある程度の日中の行動状況／環境や睡眠状況／環境を推定することができる。しかし、温度情報のみから処理装置１２が推定を行うにはかぎりがあるため、被計測者が温度変化のタイミングに合わせて行動状況を記録する手段を設け、入力データを蓄積する方法としてもよい。
【００４９】
また、前記各実施の形態では、センサ装置１は計測の開始時間と終了時間を予め設定しておき、これらの間で一定時間毎に体表温度検出データＤ1／Ｄ2を検出する構成とした。しかし、本発明はこれに限らず、センサ装置１は、例えば体表温度検出部３によって検出した体表温度Ｔ1が一定温度（例えば３２℃）を超えて上昇すると、体表温度検出データＤ1の読込み、記憶を開始し、一定温度よりも低下すると、体表温度検出データＤ1の読込み等を終了する構成としてもよい。
【００５０】
さらに、センサ装置１にマイクロ方位スイッチを設け、被測定者が座位または立位から臥位に姿勢を変更すると、方位スイッチがオン状態となり、被測定者が臥位から座位または立位に姿勢を変更すると、方位スイッチがオフ状態となる構成としてもよい。これにより、センサ装置１は、方位スイッチのオン状態、オフ状態に応じて体表温度検出データＤ1の読込み等を開始、終了を行うことができる。
【図面の簡単な説明】
【００５１】
【図１】本発明の第１の実施の形態によるウエアラブルセンサ装置を被測定者が装着した状態を示す外観図である。
【図２】図１中のウエアラブルセンサ装置を単体で示す正面図である。
【図３】ウエアラブルセンサ装置を図２中の矢示IV−IV方向からみた断面図である。
【図４】ウエアラブルセンサ装置に設けられたコントロールユニットの構成を示すブロック図である。
【図５】ウエアラブルセンサ装置と外部の処理装置とから構成したシステムを示す説明図である。
【図６】ウエアラブルセンサ装置を装着して就寝中の０〜６時までの間に計測した、体表側センサと外気側センサの温度変化を示すグラフである。
【図７】ウエアラブルセンサ装置に表示される月経周期に基づいた月経期／卵胞期／黄体期の各ステージ日数とマークの対応表である。
【図８】月経周期ごとに表示する代表温度の長期グラフである。
【図９】外部の処理装置に被測定者がパソコンからアクセスし、月経周期情報を入力する画面である。
【図１０】外部の処理装置に被測定者がパソコンからアクセスし、身体と心の状況を入力する画面である。
【図１１】外部の処理装置が表示する、代表温度／月経周期情報／体と心の状況の月経周期毎一覧表である。
【図１２】体と心の状況の月経周期毎レーダーグラフである。
【図１３】６ヶ月間蓄積された代表温度／月経周期情報／体と心の状況のデータを各ステージで分析したグラフである。
【図１４】平均月経周期に基づいた８分割ステージの日数表である。
【図１５】ウエアラブルセンサ装置を装着して終日計測を行った体表温度のグラフである。
【符号の説明】
【００５２】
１  ウエアラブルセンサ装置
２Ａ  ケーシング
２Ｂ  クリップ
３  体表温度検出部（体表温度検出手段）
４  外気温度検出部（外気温度検出手段）
５  コントロールユニット（データ読込み手段）
６  回路基板
７  コイン型リチウム電池等の電源
８（８Ａ  ８Ｂ  ８Ｃ）  スイッチ部
９  表示部
１０  記憶部
１１  タイマ
１２  処理装置
Ｈ  被測定者
Ｈ0  被測定者体表面
【図１】
2010063766.tif 000003
【図２】
2010063766.tif 000004
【図３】
2010063766.tif 000005
【図４】
2010063766.tif 000006
【図５】
2010063766.tif 000007
【図６】
2010063766.tif 000008
【図７】
2010063766.tif 000009
【図８】
2010063766.tif 000010
【図１４】
2010063766.tif 000011
【図１５】
2010063766.tif 000012
【図９】
2010063766.tif 000013
【図１０】
2010063766.tif 000014
【図１１】
2010063766.tif 000015
【図１２】
2010063766.tif 000016
【図１３】
2010063766.tif 000017